(57)【特許請求の範囲】
【請求項１】
シリンダ錠の内筒の外端部にこれと一体に回動可能に装着された厚肉の回転体で、外面に摺り鉢状の案内面を、内面側にシャッター収納空間を夫々形成すると共に、中央部に合鍵のショルダー部が通過できる大きさの鍵挿通孔を開口させたキーガイドブロックと、上記シャッター収納空間内で鍵挿通孔の長手方向に延在する一対の細長いブロック体で、シリンダ錠の内筒の外端面の前方において、夫々鍵挿通孔の幅方向の半分を閉塞する閉鎖位置と、鍵挿通孔から退避する開放位置との間を移動可能に案内されると共に、相互に弾接する方向に付勢されたシャッターとを有し、各シャッターの外面接合部に、鍵挿通孔閉鎖時接合端縁を残して、横断面がＶ字形の一部をなす細長い傾斜面を形成し、接合端縁と傾斜面とを断面が円弧状の連結曲面によって滑らかに接続し、一方、各シャッターは、その長さ方向における中央に案内杆を一体に突設して全体の形状がＴ字形に成形され、キーガイドブロックのキ字形のシャッター収納空間にはめ込まれて案内杆の長さ方向に案内されると共に、案内杆に形成されたばね孔内にシャッターばねを弾装したことを特徴とするキーガイド。
【発明の詳細な説明】
【０００１】
【発明の属する技術分野】
この発明は、目や手先の動きが不自由な人でもシリンダ錠の鍵孔に鍵を容易に差し込むことができ、また、シリンダ錠内への塵埃や水分の侵入を防止できると共に、所謂ピッキングと称される不正解錠操作を困難にして錠前の安全性を向上させることができるキーガイドに関する。
【０００２】
【従来の技術】
建物の扉口にはシリンダ錠が装着されているが、シリンダ錠の鍵孔と鍵とのクリアランスが小さいため、施解錠時、鍵と鍵孔との中心をお互いに正確に合わせてから、鍵を挿入する必要がある。
【０００３】
【発明が解決しようとする課題】
しかしながら、鍵及び鍵孔は寸法的に非常に小さいので、目や手先の不自由な人には鍵と鍵孔の中心を正確に合わせることが非常に難しく、特に、高齢者が増加している近年の社会状況においては、高齢者対策の一環として、シリンダ錠においても使用し易い環境を整えることが要請されている。
【０００４】
また、通常鍵孔は何時も外部空間に向かって開口しているから、塵埃や風で飛ばされた雨水等が侵入しやすく、長期間の使用によって作動が円滑でなくなることは良く知られている。
【０００５】
更にまた、近年特にピッキングと称される不正解錠による空巣等の犯罪が増大しているが、従来の錠前は残念ながらピッキングに対してこれを完全に防止することができない。
【０００６】
そこで、この発明は、目や手先の動きが不自由な人でもシリンダ錠の鍵孔に鍵を容易に差し込むことができ、また、シリンダ錠内への塵埃や水分の侵入を防止できると共に、所謂ピッキングと称される不正解錠操作を困難にして錠前の安全性を向上させ得るシリンダ錠のキーガイドを提供することを目的としている。
【０００７】
【発明を解決するための手段】
上記の目的を達成するため、この発明は、シリンダ錠の内筒の外端部にこれと一体に回動可能に装着された厚肉の回転体で、外面に摺り鉢状の案内面を、内面側にシャッター収納空間を夫々形成すると共に、中央部に合鍵のショルダー部が通過できる大きさの鍵挿通孔を開口させたキーガイドブロックと、上記シャッター収納空間内で鍵挿通孔の長手方向に延在する一対の細長いブロック体で、シリンダ錠の内筒の外端面の前方において、夫々鍵挿通孔の幅方向の半分を閉塞する閉鎖位置と、鍵挿通孔から退避する開放位置との間を移動可能に案内されると共に、相互に弾接する方向に付勢されたシャッターとを有し、各シャッターの外面接合部に、鍵挿通孔閉鎖時接合端縁を残して、横断面がＶ字形の一部をなす細長い傾斜面を形成し、接合端縁と傾斜面とを断面が円弧状の連結曲面によって滑らかに接続し、一方、各シャッターは、その長さ方向における中央に案内杆を一体に突設して全体の形状がＴ字形に成形され、キーガイドブロックのキ字形のシャッター収納空間にはめ込まれて案内杆の長さ方向に案内されると共に、案内杆に形成されたばね孔内にシャッターばねを弾装したことを特徴とする。
【０００８】
【実施例】
以下、この発明の実施例を図面を参照して説明する。
図１において符号１はシリンダ錠を示し、このシリンダ錠１は、シリンダ筒２を介して扉外面３に装着、固定されている。
【０００９】
ちなみに、上記シリンダ筒２はカップ状の部材で、その開口端縁部に一体に形成され、扉内に装着された図示しない錠箱内にある取付片４及び錠箱の側面を貫通する取付杆５、５によって、錠箱を介して扉に固定されている。
【００１０】
なお、かかるシリンダ筒２を介してのシリンダ錠の取付機構は周知であるから、更に詳細な説明は省略する。
【００１１】
上記シリンダ錠１の内筒６の外端部は、付番しないシリンダ筒２の底面開口を挿通してシリンダ筒２外に突出しており、この外端部には、キーガイドブロック７が回り止めを施されて一体的に装着され、シリンダ筒２にかしめ８止めされた飾り筒９によって、外方に抜け出ないように固定されている。
【００１２】
このキーガイドブロック７は厚肉の回転体であり、その外面（図１で左側の面）には浅い摺り鉢状の案内面１１（図２及び図３参照）が、内面側にはシャッター収納空間１２が夫々形成されている。
【００１３】
また、その中央部には、鍵孔１３に外接し得る鍵挿通孔１４が開口している。なお、図示の実施例における鍵孔１３は、特願２００１−３１６８８５を以て本出願人が先に提案した新規なロータリーディスクタンブラー錠の鍵孔であるが、この発明が適用されるシリンダ錠は必ずしもロータリーディスクタンブラー錠に限らず、従来のレバータンブラー錠でも好適である。
【００１４】
なお、図３に示すようにシャッターが開いて鍵挿通孔１４を通して鍵孔１３が覗く状態では、鍵挿通孔１４は鍵の厚さ方向（図３で上下方向）においてのみ鍵孔に外接しており、鍵孔１３の左右に内筒外端面の一部が見えるが、この部分に合鍵のショルダー部が当接する。
すなわち、鍵挿通孔１４の開口は、合鍵の基部のショルダー部が通過できる大きさである。
【００１５】
一方、上記シャッター収納空間１２内には、例えば図４乃至図６に示す形状のシャッター１５の一対が収納され、後述するように、図１乃至図３で上下方向に移動可能に案内されている。
【００１６】
上記シャッター１５は、図２乃至図６に示すように、鍵挿通孔１４の長手方向（図１乃至図３で左右方向）に延在する細長いブロック体で、図１に示すように、シリンダ錠の内筒６の外端面の前方において、鍵挿通孔１４の幅方向の半分を閉塞する閉鎖位置（図２参照）と、鍵挿通孔１４から退避する開放位置（図３参照）との間を移動可能に案内されている。
【００１７】
また、これら一対のシャッター１５、１５は、圧縮コイルばねとしてのシャッターばね１６の弾力により、相互に弾接する方向に、すなわち、相互に近接して鍵挿通孔１４を閉塞する方向に付勢されている。
【００１８】
具体的には、例えば図示の実施例に示すように構成されている。
すなわち、シャッター１５は、図４乃至図６に示すように、その長さ方向における中央に角柱状の案内杆１７が一体に形成されていて全体の形状がＴ字形に成形されている。
【００１９】
一方、前記キーガイドブロック７はこれを一体に構成することもできるが、図示の実施例では、その構造の説明を容易にするため、図７乃至図１２に示すように、内筒６の中心軸線方向に沿う前後方向において第１及び第２の二つのキーガイドブロック７１、７２に分割されているものとする。
【００２０】
第１キーガイドブロック７１には、図７乃至図９に示すように、案内面１１と鍵挿通孔１４とが形成されている。
【００２１】
また、第２キーガイドブロック７２には、図１０乃至図１２に示すように、全体の形状が厚肉の円盤状で、図１０及び図１２に示すように、中央部に略キ字形の開口が形成されている。
【００２２】
そして、第２キーガイドブロック７２の外面側に形成された連結環堤部１８（図１１参照）を第１キーガイドブロック７１の内面側に形成された連結凹陥部１９（図８及び図９参照）に填め込んで両者を結合し、第２キーガイドブロック７１の上記キ形の空間をシャッター収納空間１２として使用する。
【００２３】
上記シャッター１５及び案内杆１７は図１０及び図１１図に示すようにシャッター収納空間１２内に填め込まれ、シャッターの案内杆１７に形成されたばね収納孔２１と案内杆収納溝２２（図１０参照）の端面との間に弾装された前記シャッターばね１６の弾力により、一対のシャッター１５、１５は相互に近接する方向に付勢されている。
【００２４】
なお、図１０に示すように、シャッター収納空間１２の中央には一対の突出部２３、２３が形成されており、これに対応して、各シャッター１５の両端に形成された段部がこの突出部２３に当接して常態におけるシャッターの位置を規定している。
【００２５】
一方、図５に示すように、各シャッター１５の外面接合部、すなわち、他のシャッターとの接合部には、接合端縁２４を残して細長い傾斜面２５が形成されており、鍵挿通孔閉鎖時シャッター接合部の横断面がＶ字形となる。
【００２６】
また、接合端縁２４と傾斜面２５とは断面が円弧状の連結曲面２６によって滑らかに接続されている。
【００２７】
上記のように構成された一対のシャッター１５、１５、シャッターばね１６、１６は、第１キーガイドブロック７１の内面側に突設された一対の第１連結突片２７、２７（図８及び図９参照）を第２キーガイドブロック７２に形成されたＵ字形の第１突片受２８、２８（図１０及び図１２参照）の夫々に係合させて回り止めを施す。
【００２８】
そして、図１０に示すようにシャッター収納空間１２内にシャッター１５及びシャッターばね１６を填め込んだ状態で、シャッター収納空間１２内に突出する４個の第２連結突片２９、２９を、内筒の外端に装着されたキーガイドプラグ３１（図１３参照）の外周面において母線に沿って形成された４条の受溝３２、３２の夫々に係合させた後、前記したように飾り筒９によって抜け止めを施して固定する。
【００２９】
上記のように構成されたこの発明の一実施例によるキーガイドは、常態では、図１及び図２に示すように、シャッター１５、１５がシャッターばね１６の弾力によりキーガイドブロック７の鍵挿通孔１４を閉塞しており、このときにはシリンダ錠１内に塵埃や水分が侵入しないことは言うまでも無い。
【００３０】
また、シャッターの接合部の外面側には、図１に示すように、開角度の大きいＶ字形溝の底部に三角溝を連設した形状の溝が形成されている。
【００３１】
したがって、目や手先が不自由な人手も、合鍵の先端を浅い摺り鉢形の案内面１１の何処かに当て、案内面に沿って中心部にまで滑らせると、合鍵の先端を容易にシャッター接合部の溝に案内することができる。
【００３２】
手の感触で合鍵の先端が溝に落込んだことを確認したら、その侭合鍵を内方に押込む。
【００３３】
すると、先端を薄くした（図１参照）合鍵の先端の面取り部とシャッター１５の前記連結曲面２６（図５参照）との間に生じる楔作用により、シャッター１５、１５はシャッターばね１６の弾力に抗して拡開する方向に押し開けられ、図３に示すように鍵挿通孔が開いて合鍵の先端を円滑に鍵孔１３に導く。
【００３４】
このとき、合鍵の先端の幅方向、すなわち、図２及び図３で左右方向の誘導は、合鍵の先端の面取り部、或いは半円形に成形された部分と鍵挿通孔１４の開口端縁との摺接による楔作用により行われる。
【００３５】
合鍵を完全に挿入したら、通常の錠前のように、合鍵を施錠方向或いは解錠方向に回動させると、キーガイドブロック７は内筒６と一体に所定の方向に回動して施解錠操作が行われる。
【００３６】
施解錠操作を完了して内筒を所定の角度位置に戻し、その状態で合鍵を引抜くのは通常の錠前と同様で、このときシャッターばねの弾力によりシャッター１５、１５が自動的に閉じて図２に示す常態に戻る。
【００３７】
【発明の効果】
以上の説明から明らかなように、この発明は、細長いブロック状のシャッターの外面接合部に、鍵挿通孔閉鎖時接合端縁を残して、横断面がＶ字形の一部をなす細長い傾斜面を形成し、接合端縁と傾斜面とを断面が円弧状の連結曲面によって滑らかに接続すると共に、キーガイドブロックの外面に摺り鉢形の案内面を形成したから、案内面に合鍵の先端を当てこれを中心部に向かって滑らせることにより、目や手先の不自由な人でも容易に合鍵を鍵孔に挿入することができる。
【００３８】
また、常態ではシャッターが閉じて鍵挿通孔を完全に閉塞するから、シリンダ錠内への塵埃や水分の侵入を完全に防止でき、シリンダ錠の円滑な作動を長期間保持することができる。
【００３９】
更にまた、ピッキング時シャッターを開いておかないとピッキング操作ができないので、かなり微妙な操作に加えてこのシャッターを開いておく、という操作がピッキングを困難にする、等種々の効果を奏する。
【図面の簡単な説明】
【図１】この発明の一実施例によるキーガイドを装着したシリンダ錠の断面図。
【図２】この発明の一実施例によるキーガイドを装着したシリンダ錠の正面図で、シャッターが閉じている状態を示す。
【図３】この発明の一実施例によるキーガイドを装着したシリンダ錠の正面図で、シャッターが開いている状態を示す。
【図４】シャッターの正面図。
【図５】シャッターの側面図。
【図６】シャッターの下面図。
【図７】第１キーガイドブロックの正面図。
【図８】第１キーガイドブロックの断面図。
【図９】第１キーガイドブロックの背面図。
【図１０】第２キーガイドブロックの正面図。
【図１１】第２キーガイドブロックの断面図。
【図１２】第２キーガイドブロックの背面図。
【図１３】キーガイドプラグの正面図。
【符号の説明】
１  シリンダ錠
７  キーガイドブロック
１１  案内面
１２  シャッター収納空間
１３  鍵孔
１４  鍵挿通孔
１５  シャッター
１６  シャッターばね
１７  案内杆
２４  接合端縁
２５  傾斜面
２６  連結曲面
３１  キーガイドプラグ
【図１】
0004168162.tif 000002
【図２】
0004168162.tif 000003
【図３】
0004168162.tif 000004
【図４】
0004168162.tif 000005
【図５】
0004168162.tif 000006
【図６】
0004168162.tif 000007
【図７】
0004168162.tif 000008
【図８】
0004168162.tif 000009
【図９】
0004168162.tif 000010
【図１０】
0004168162.tif 000011
【図１１】
0004168162.tif 000012
【図１２】
0004168162.tif 000013
【図１３】
0004168162.tif 000014